(57)【要約】【課題】グループ化可能な多数の表示装置の中から表示装置を選択する選択作業の負担を軽減する。【解決手段】制御装置１は、複数の表示装置の各々へ応答要求を送信し、複数の表示装置の各々から応答要求に応じた応答を受信する通信部１１と、応答を送信した複数の表示装置の一覧を表示部３に表示させる制御部１３ｂと、を備えている。制御部１３ｂは、複数の表示装置の各々についての応答要求の送信タイミングから応答の受信タイミングまでの経過時間に基づいて、表示部３における複数の表示装置の一覧の表示態様を制御する。【選択図】図２
2018028602.tif 000002
【特許請求の範囲】
【請求項１】
複数の表示装置の各々へ応答要求を送信し、前記複数の表示装置の各々から前記応答要求に応じた応答を受信する通信部と、
前記応答を送信した前記複数の表示装置の一覧を表示部に表示させる制御部と、を備え、
前記制御部は、前記複数の表示装置の各々についての前記応答要求の送信タイミングから前記応答の受信タイミングまでの経過時間に基づいて、前記表示部における前記複数の表示装置の一覧の表示態様を制御することを特徴とする制御装置。
【請求項２】
前記制御部は、前記一覧において前記複数の表示装置の中で前記経過時間が最も短い表示装置を前記経過時間が最も長い表示装置よりも優先的に表示することを特徴とする請求項１に記載の制御装置。
【請求項３】
前記制御部は、前記一覧において前記複数の表示装置を前記経過時間の短い順に並べて表示することを特徴とする請求項１に記載の制御装置。
【請求項４】
前記制御部は、前記一覧において前記複数の表示装置を前記経過時間に基づいて分類して表示することを特徴とする請求項１に記載の制御装置。
【請求項５】
前記制御部は、前記一覧において前記複数の表示装置を前記分類ごとに異なる表示態様で表示することを特徴とする請求項４に記載の制御装置。
【請求項６】
前記制御部は、前記一覧において前記複数の表示装置を前記分類ごとに色分けして表示することを特徴とする請求項４または５に記載の制御装置。
【請求項７】
前記一覧から表示装置を選択する操作を受ける操作部と、
前記操作に応じて選択された表示装置をグループ化するグループ化部と、
をさらに備えることを特徴とする請求項１から６のいずれか１項に記載の制御装置。
【請求項８】
前記グループ化部は、前記操作に応じて選択された表示装置と、前記複数の表示装置のうち、前記操作に応じて選択された表示装置との前記経過時間の差が所定時間以内である表示装置と、をグループ化することを特徴とする請求項７に記載の制御装置。
【請求項９】
前記一覧からグループ化対象となる表示装置を選択する操作を受ける操作部と、
前記操作に応じて選択された表示装置と、前記複数の表示装置のうち、前記操作に応じて選択された表示装置と同じ分類に属している表示装置と、をグループ化するグループ化部と、
をさらに備えることを特徴とする請求項４から６のいずれか１項に記載の制御装置。
【請求項１０】
前記応答要求は、ｐｉｎｇコマンドであることを特徴とする請求項１から９のいずれか１項に記載の制御装置。
【請求項１１】
前記複数の表示装置の各々についての前記経過時間を計測する計測部をさらに備えることを特徴とする請求項１から１０のいずれか１項に記載の制御装置。
【請求項１２】
複数の表示装置の各々へ応答要求を送信し、前記複数の表示装置の各々から前記応答要求に応じた応答を受信する通信部と、
表示部と、
前記応答を送信した前記複数の表示装置の一覧を前記表示部に表示させる制御部と、を備え、
前記制御部は、前記複数の表示装置の各々についての前記応答要求の送信タイミングから前記応答の受信タイミングまでの経過時間に基づいて、前記表示部における前記複数の表示装置の一覧の表示態様を制御することを特徴とする表示装置。
【請求項１３】
複数の表示装置と制御装置とを備え、
前記制御装置は、
前記複数の表示装置の各々へ応答要求を送信し、前記複数の表示装置の各々から前記応答要求に応じた応答を受信する第１通信部と、
前記応答を送信した前記複数の表示装置の一覧を表示部に表示させる制御部と、を備え、
前記制御部は、前記複数の表示装置の各々についての前記応答要求の送信タイミングから前記応答の受信タイミングまでの経過時間に基づいて、前記表示部における前記複数の表示装置の一覧の表示態様を制御し、
前記表示装置は、
前記制御装置から前記応答要求を受信し、前記制御装置へ前記応答を送信する第２通信部を備える、
ことを特徴とする表示システム。
【請求項１４】
複数の表示装置の各々へ応答要求を送信し、
前記複数の表示装置の各々から前記応答要求に応じた応答を受信し、
前記応答を送信した前記複数の表示装置の一覧を表示部に表示させ、
前記複数の表示装置の各々についての前記応答要求の送信タイミングから前記応答の受信タイミングまでの経過時間に基づいて、前記表示部における前記複数の表示装置の一覧の表示態様を制御する、
ことを特徴とする制御方法。
【請求項１５】
コンピュータに、
複数の表示装置の各々へ応答要求を送信し、前記複数の表示装置の各々から前記応答要求に応じた応答を受信する通信手順と、
前記応答を送信した前記複数の表示装置の一覧を表示部に表示させる表示手順と、
前記複数の表示装置の各々についての前記応答要求の送信タイミングから前記応答の受信タイミングまでの経過時間に基づいて、前記表示部における前記複数の表示装置の一覧の表示態様を制御する制御手順と、
を実行させるためのプログラム。
【発明の詳細な説明】
【技術分野】
【０００１】
本発明は、制御装置、表示装置、表示システム、制御方法およびプログラムに関する。
【背景技術】
【０００２】
複数の表示装置をグループ化し、グループ化された複数の表示装置を用いて表示を行うシステムが知られている。特許文献１には、複数のプロジェクターをサブグループとしてグループ化し、そのサブグループに属する複数のプロジェクターを用いて１つの画像を表示するシステムが開示されている。
【先行技術文献】
【特許文献】
【０００３】
【特許文献１】特表２０１２−５１７６２１号公報
【発明の概要】
【発明が解決しようとする課題】
【０００４】
特許文献１に記載のシステムでは、表示を実行する前に、複数の表示装置をグループ化する必要がある。複数の表示装置のグループ化は、グループ化可能な多数の表示装置の中からグループ化の対象となる表示装置を選択する選択作業を伴うが、この選択作業が煩雑になるおそれがあった。
【０００５】
本発明は上述した事情に鑑みてなされたものであり、グループ化可能な多数の表示装置の中から表示装置を選択する選択作業の煩雑さを軽減することを解決課題とする。
【課題を解決するための手段】
【０００６】
本発明の制御装置の一態様は、複数の表示装置の各々へ応答要求を送信し、前記複数の表示装置の各々から前記応答要求に応じた応答を受信する通信部と、前記応答を送信した前記複数の表示装置の一覧を表示部に表示させる制御部と、を備え、前記制御部は、前記複数の表示装置の各々についての前記応答要求の送信タイミングから前記応答の受信タイミングまでの経過時間に基づいて、前記表示部における前記複数の表示装置の一覧の表示態様を制御することを特徴とする。
【０００７】
経過時間（応答要求の送信タイミングから応答の受信タイミングまでの経過時間）は、制御装置と表示装置との間の通信経路に存在する中継装置の数が少ないほど短くなる。これは、中継装置において通信の遅延が発生するためである。また、制御装置と表示装置との間に介在する中継装置の数が少ないほど、制御装置と表示装置との間の物理的な距離が短くなる傾向が高い。このため、経過時間が短いほど、制御装置と表示装置との間の物理的な距離が短くなる傾向が高くなる。
【０００８】
よって、各経過時間に基づいて一覧の表示態様を制御することによって、一覧の表示態様を、制御装置と各表示装置との間の物理的な距離に応じた表示態様とすることができる。したがって、ユーザーは、一覧を見ることで、制御装置からの物理的な距離に大差のない表示装置（例えば、同じ会議室に存在する表示装置）を特定しやすくなり、選択作業の煩雑さを軽減することが可能になる。
【０００９】
上述した制御装置の一態様において、前記制御部は、前記一覧において前記複数の表示装置の中で前記経過時間が最も短い表示装置を前記経過時間が最も長い表示装置よりも優先的に表示することが望ましい。
【００１０】
この態様によれば、制御装置に最も近い物理的な空間（例えば、制御装置が属する会議室）に存在している可能性が高い表示装置を優先的に表示できる。このため、例えば、制御装置が属する物理的な空間と同じ物理的な空間（例えば、制御装置が配置されている会議室）に存在する表示装置を選択する必要がある場合、ユーザーは、一覧を見ることで、その表示装置を容易に特定できる。よって、選択作業の煩雑さを軽減することが可能になる。
【００１１】
上述した制御装置の一態様において、前記制御部は、前記一覧において前記複数の表示装置を前記経過時間の短い順に並べて表示することが望ましい。
【００１２】
この態様によれば、制御装置との物理的な距離が短い可能性が高い順に表示装置を並べて表示することが可能になる。このため、例えば、複数の表示装置の中から、制御装置との物理的な距離が近い順に表示装置を選択する場合、ユーザーは、一覧を見ることで、表示装置を容易に特定できる。よって、選択作業の煩雑さを軽減することが可能になる。
【００１３】
上述した制御装置の一態様において、前記制御部は、前記一覧において前記複数の表示装置を前記経過時間に基づいて分類して表示することが望ましい。
【００１４】
この態様によれば、複数の表示装置を、制御装置との物理的な距離に基づいて分類して表示するので、ユーザーは、一覧を見ることで、制御装置との物理的な距離が近しい表示装置を容易に選択することが可能になる。
【００１５】
上述した制御装置の一態様において、前記制御部は、前記一覧において前記複数の表示装置を前記分類ごとに異なる表示態様で表示することが望ましい。
【００１６】
この態様によれば、一覧において複数の表示装置が分類ごとに異なる表示態様で表示されるので、ユーザーは、一覧を見ることで、制御装置との物理的な距離が近しい表示装置を容易に特定でき、これらの表示装置をグループ化対象の表示装置として容易に選択することが可能になる。
【００１７】
上述した制御装置の一態様において、前記制御部は、前記一覧において前記複数の表示装置を前記分類ごとに色分けして表示することが望ましい。
【００１８】
この態様によれば、ユーザーは、一覧における色の違いによって、制御装置との物理的な距離が近しい表示装置を容易に特定でき、これらの表示装置をグループ化対象の表示装置として容易に選択することが可能になる。
【００１９】
上述した制御装置の一態様において、前記一覧から表示装置を選択する操作を受ける操作部と、前記操作に応じて選択された表示装置をグループ化するグループ化部と、をさらに備えることが望ましい。
【００２０】
この態様によれば、ユーザーは、選択すべき表示装置を認識しやすく示した一覧を用いて、選択すべき表示装置を選択してグループ化できる。このため、表示装置の選択およびグループ化が容易になる。
【００２１】
上述した制御装置の一態様において、前記グループ化部は、前記操作に応じて選択された表示装置と、前記複数の表示装置のうち、前記操作に応じて選択された表示装置との前記経過時間の差が所定時間以内である表示装置と、をグループ化することが望ましい。
【００２２】
この態様によれば、例えば、操作に応じて選択された表示装置が存在する会議室のような物理的な空間と同一の空間に存在している可能性の高い表示装置、つまり、クループ化される可能性の高い表示装置を、操作に応じて選択された表示装置とともにグループ化できる。
【００２３】
上述した制御装置の一態様において、前記一覧から表示装置を選択する操作を受ける操作部と、前記操作に応じて選択された表示装置と、前記複数の表示装置のうち、前記操作に応じて選択された表示装置と同じ分類に属している表示装置と、をグループ化するグループ化部と、をさらに備えることが望ましい。
【００２４】
この態様によれば、例えば、操作に応じて選択された表示装置が存在する物理的な空間と同一の空間に存在している可能性の高い表示装置を、操作に応じて選択された表示装置とともにグループ化できる。
【００２５】
上述した制御装置の一態様において、前記応答要求は、ｐｉｎｇコマンドであることが望ましい。
【００２６】
この態様によれば、応答要求としてｐｉｎｇコマンドという一般的なコマンドを用いているため、応答要求として特殊な応答要求を追加する場合に比べて、応答要求の特殊化を防止できる。
【００２７】
上述した制御装置の一態様において、前記複数の表示装置の各々についての前記経過時間を計測する計測部をさらに備えることが望ましい。
【００２８】
この態様によれば、各経過時間の計測を行うことが可能になる。
【００２９】
本発明の表示装置の一態様は、複数の表示装置の各々へ応答要求を送信し、前記複数の表示装置の各々から前記応答要求に応じた応答を受信する通信部と、表示部と、前記応答を送信した前記複数の表示装置の一覧を前記表示部に表示させる制御部と、を備え、前記制御部は、前記複数の表示装置の各々についての前記応答要求の送信タイミングから前記応答の受信タイミングまでの経過時間に基づいて、前記表示部における前記複数の表示装置の一覧の表示態様を制御することを特徴とする。
【００３０】
この態様によれば、ユーザーは、一覧を見ることで、制御装置からの物理的な距離に大差のない複数の表示装置（例えば、同じ会議室に存在する複数の表示装置）を特定しやすくなり、選択作業の煩雑さを軽減することが可能になる。
【００３１】
本発明の表示システムの一態様は、複数の表示装置と制御装置とを備え、前記制御装置は、前記複数の表示装置の各々へ応答要求を送信し、前記複数の表示装置の各々から前記応答要求に応じた応答を受信する第１通信部と、前記応答を送信した前記複数の表示装置の一覧を表示部に表示させる制御部と、を備え、前記制御部は、前記複数の表示装置の各々についての前記応答要求の送信タイミングから前記応答の受信タイミングまでの経過時間に基づいて、前記表示部における前記複数の表示装置の一覧の表示態様を制御し、前記表示装置は、前記制御装置から前記応答要求を受信し、前記制御装置へ前記応答を送信する第２通信部を備えることを特徴とする。
【００３２】
この態様によれば、ユーザーは、一覧を見ることで、制御装置からの物理的な距離に大差のない複数の表示装置（例えば、同じ会議室に存在する複数の表示装置）を特定しやすくなり、選択作業の煩雑さを軽減することが可能になる。
【００３３】
本発明の制御方法の一態様は、複数の表示装置の各々へ応答要求を送信し、前記複数の表示装置の各々から前記応答要求に応じた応答を受信し、前記応答を送信した前記複数の表示装置の一覧を表示部に表示させ、前記複数の表示装置の各々についての前記応答要求の送信タイミングから前記応答の受信タイミングまでの経過時間に基づいて、前記表示部における前記複数の表示装置の一覧の表示態様を制御することを特徴とする。
【００３４】
この態様によれば、ユーザーは、一覧を見ることで、制御装置からの物理的な距離に大差のない複数の表示装置（例えば、同じ会議室に存在する複数の表示装置）を特定しやすくなり、選択作業の煩雑さを軽減することが可能になる。
【００３５】
本発明のプログラムの一態様は、コンピュータに、複数の表示装置の各々へ応答要求を送信し、前記複数の表示装置の各々から前記応答要求に応じた応答を受信する通信手順と、前記応答を送信した前記複数の表示装置の一覧を表示部に表示させる表示手順と、前記複数の表示装置の各々についての前記応答要求の送信タイミングから前記応答の受信タイミングまでの経過時間に基づいて、前記表示部における前記複数の表示装置の一覧の表示態様を制御する制御手順と、を実行させる。
【００３６】
この態様によれば、ユーザーは、一覧を見ることで、制御装置からの物理的な距離に大差のない複数の表示装置（例えば、同じ会議室に存在する複数の表示装置）を特定しやすくなり、選択作業の煩雑さを軽減することが可能になる。
【図面の簡単な説明】
【００３７】
【図１】本実施形態に係る制御装置１を含む表示システム１０を示した図である。
【図２】制御装置１の構成例を示した図である。
【図３】プロジェクターＰ０の構成例を示した図である。
【図４】制御装置１の動作を説明するためのフローチャートである。
【図５】応答を返してきたプロジェクターの一覧３ａの一例を示した図である。
【図６】表示態様が更新された後の一覧３ｂの一例を示した図である。
【図７】本実施形態に係るプロジェクターＰ９を含むシステム１０Ａを示した図である。
【図８】プロジェクターＰ９の構成を示した図である。
【発明を実施するための形態】
【００３８】
以下、図面を参照しながら本発明に係る実施の形態を説明する。なお、図面において各部の寸法や縮尺は実際のものと適宜異なる。また、以下に記載する実施の形態は、本発明の好適な具体例である。このため、本実施形態には、技術的に好ましい種々の限定が付されている。しかしながら、本発明の範囲は、以下の説明において特に本発明を限定する旨の記載がない限り、これらの形態に限られるものではない。
【００３９】
＜第１実施形態＞
図１は、本実施形態に係る制御装置１を含む表示システム１０の全体的な構成の一例を示した図である。以下では、会議室Ａ〜Ｃの各々にプロジェクターが中継装置と共に設置された例を示すが、プロジェクターと中継装置が設置された会議室の数は適宜変更可能であり、また、プロジェクターと中継装置の設置場所は会議室に限らず適宜変更可能である。
【００４０】
物理的な空間である会議室Ａには、プロジェクターＰ０と中継装置２Ａが設置されている。プロジェクターＰ０は、中継装置２Ａを介してネットワークＮＷと接続されている。物理的な空間である会議室Ｂには、プロジェクターＰ１およびＰ２と中継装置２Ｂが設置されている。プロジェクターＰ１およびＰ２は、中継装置２Ｂを介してネットワークＮＷと接続されている。物理的な空間である会議室Ｃには、プロジェクターＰ３〜Ｐ５と制御装置１と中継装置２Ｃが設置されている。プロジェクターＰ３〜Ｐ５および制御装置１は、中継装置２Ｃを介してネットワークＮＷと接続されている。
なお、プロジェクターＰ０〜Ｐ５は同じ型（同じ型番）であり同一構成である。
【００４１】
制御装置１とプロジェクターＰ０〜Ｐ５と中継装置２Ａ〜２Ｃは、同一のセグメント（192.168.0）に属している。以下、セグメント（192.168.0）を単に「セグメント」とも称する。
【００４２】
制御装置１には、セグメント内のＩＰアドレス（192.168.0.200）が割り振られている。プロジェクターＰ０には、セグメント内のＩＰアドレス（192.168.0.100）が割り振られている。プロジェクターＰ１には、セグメント内のＩＰアドレス（192.168.0.101）が割り振られている。プロジェクターＰ２には、セグメント内のＩＰアドレス（192.168.0.102）が割り振られている。プロジェクターＰ３には、セグメント内のＩＰアドレス（192.168.0.103）が割り振られている。プロジェクターＰ４には、セグメント内のＩＰアドレス（192.168.0.104）が割り振られている。プロジェクターＰ５には、セグメント内のＩＰアドレス（192.168.0.105）が割り振られている。
なお、プロジェクターＰ０〜Ｐ５の各々に割り振られるセグメント内のＩＰアドレスは、適宜変更可能である。
【００４３】
制御装置１は、ＩＰアドレスが記載されたパケットを用いて映像情報を送信することで、そのＩＰアドレスが割り振られているプロジェクターに対して映像情報を供給することができる。
【００４４】
ここで、会議室ＣでプロジェクターＰ３〜Ｐ５を用いた会議が開催されるとする。この場合、プロジェクターＰ３〜Ｐ５がグループ化され、制御装置１は、そのグループ化されたプロジェクターＰ３〜Ｐ５の各々に対して、当該プロジェクターのＩＰアドレスが記載されたパケットを用いて映像情報を送信する。
【００４５】
この際、ユーザーは、会議室Ｃに存在するプロジェクターＰ３〜Ｐ５をグループ化するために、プロジェクターＰ０〜Ｐ５の中からプロジェクターＰ３〜Ｐ５を選択する選択作業を行う必要がある。
【００４６】
この場合、プロジェクターＰ０〜Ｐ５は、グループ化可能な多数の表示装置の一例となる。また、プロジェクターＰ３〜Ｐ５は、グループ化される複数の表示装置の一例となる。なお、グループ化可能な多数の表示装置は、プロジェクターＰ０〜Ｐ５に限らず適宜変更可能であり、グループ化される複数の表示装置もプロジェクターＰ３〜Ｐ５に限らず適宜変更可能である。
【００４７】
本実施形態は、上述した選択作業の煩雑さを軽減するための技術に関する。本実施形態は、グループ化可能なプロジェクターの一覧を表示する。そして、本実施形態は、ユーザーが、グループ化されるプロジェクター（同じ会議室に存在するプロジェクター）を容易に認識できるように、プロジェクターの一覧の表示態様を制御する。
【００４８】
具体的には、制御装置１は、プロジェクターＰ０〜Ｐ５の各々について、応答要求を送信してから応答要求に対する応答を受信するまでの経過時間を計測する。制御装置１は、この経過時間を用いて、プロジェクターＰ０〜Ｐ５の一覧の表示態様を制御する。応答要求としては、例えば、ｐｉｎｇコマンドが用いられる。
【００４９】
ここで、経過時間について説明する。
プロジェクターＰ０〜Ｐ５の各々の経過時間は、制御装置１とプロジェクターＰ０〜Ｐ５の各々との間の通信経路に存在する中継装置の数が多いほど長くなる。これは、中継装置２Ａ、２Ｂおよび２Ｃの各々において、通信の遅延が発生するためである。
【００５０】
会議室Ａに設置されたプロジェクターＰ０と制御装置１との間の通信経路には、２つの中継装置（中継装置２Ａおよび２Ｃ）が存在する。このため、プロジェクターＰ０についての経過時間には、２つの中継装置の各々で生じた遅延時間が含まれる。
【００５１】
会議室Ｂに設置されたプロジェクターＰ１およびＰ２と制御装置１との間の通信経路には、２つの中継装置（中継装置２Ｂ〜２Ｃ）が存在する。このため、プロジェクターＰ１およびＰ２についての経過時間の各々には、２つの中継装置の各々で生じた遅延時間が含まれる。
【００５２】
会議室Ｃに設置されたプロジェクターＰ３〜Ｐ５と制御装置１との間の通信経路には、中継装置が存在しない。このため、プロジェクターＰ３〜Ｐ５についての経過時間の各々には、中継装置で生じる遅延時間が含まれない。
【００５３】
このように、会議室ごとに中継装置が設置されたネットワーク環境では、プロジェクターについての経過時間は、そのプロジェクターが設置された会議室（物理的な空間）に応じたものとなる。
【００５４】
このため、制御装置１が各プロジェクターについての経過時間に基づいてプロジェクターの一覧の表示態様を制御することで、例えば、ユーザーが制御装置１と同じ会議室に存在するプロジェクターを視認できるように、プロジェクターＰ０〜Ｐ５の一覧の表示態様を制御することが可能になる。
【００５５】
以下、制御装置１の構成例を説明する。
図２は、制御装置１の構成例を示した図である。制御装置１は、種々の情報を表示する表示部３と接続されている。制御装置１は、通信部１１と、記憶部１２と、処理部１３と、ユーザーの操作を受ける操作部１４と、を含んで構成されている。
【００５６】
通信部１１は、プロジェクターＰ０〜Ｐ５の各々と通信可能である。通信部１１は、例えば、プロジェクターＰ０〜Ｐ５の各々にｐｉｎｇコマンドを送信する。上述したようにｐｉｎｇコマンドは、応答要求の一例である。通信部１１は、ｐｉｎｇコマンドに応じた応答（以下、単に「応答」と称する）を受信する。通信部１１は、第１通信部の一例である。
【００５７】
以下では、説明の簡略化のため、プロジェクターＰ０〜Ｐ５の各々から通信部１１に応答が返されたとする。なお、プロジェクターＰ０〜Ｐ５のうち少なくとも１台のプロジェクターが応答を返さない可能性もある。
【００５８】
記憶部１２は、プログラム１２ａおよびデータを記憶するための記憶装置である。記憶部１２は、コンピュータにて読み取り可能な記録媒体の一例である。さらに言えば、記憶部１２は、非一過性（non-transitory）の記録媒体である。記憶部１２は、例えば、ＲＯＭである。なお、記憶部１２は、ＲＯＭに限らず、他の記録媒体（例えば、磁気式記録媒体または光学式記録媒体等の公知の任意の形式の記録媒体）でもよい。なお、本明細書中において、「非一過性」の記録媒体とは、一過性の伝搬信号（transitory, propagating signal）を除く全てのコンピュータ読み取り可能な記録媒体を含み、揮発性の記録媒体を除外するものではない。
【００５９】
処理部１３は、例えば、ＣＰＵ等の処理装置（コンピュータ）である。処理部１３は、記憶部１２に記憶されたプログラム１２ａを読み取り実行することにより、計測部１３ａと制御部１３ｂとグループ化部１３ｃとを実現する。
【００６０】
計測部１３ａは、プロジェクターＰ０〜Ｐ５の各々について、ｐｉｎｇコマンドの送信タイミングから応答の受信タイミングまでの経過時間を計測する。
具体的には、計測部１３ａは、プロジェクターＰｎ（ｎは０〜５の整数）ごとに、通信部１１がプロジェクターＰｎにｐｉｎｇコマンドを送信してから通信部１１がプロジェクターＰｎから応答を受信するまでの経過時間を計測する。
【００６１】
制御部１３ｂは、制御装置１を制御する。
例えば、制御部１３ｂは、通信部１１が受信した応答の送信元（本例では、プロジェクターＰ０〜Ｐ５）の一覧を表示部３に表示する。プロジェクターＰ０〜Ｐ５の一覧としては、プロジェクターＰ０〜Ｐ５の識別子（例えば、ＩＰアドレス）の一覧が用いられる。なお、プロジェクターＰ０〜Ｐ５の識別子はＩＰアドレスに限らず適宜変更可能である。
【００６２】
また、制御部１３ｂは、プロジェクターＰ０〜Ｐ５の各々についての経過時間に基づいて、表示部３におけるプロジェクターＰ０〜Ｐ５の一覧の表示態様を制御する。
例えば、制御部１３ｂは、一覧においてプロジェクターＰ０〜Ｐ５の中で経過時間が最も短いプロジェクターを経過時間が最も長いプロジェクターよりも優先的に表示する。
一例を挙げると、制御部１３ｂは、プロジェクターＰ０〜Ｐ５の中で経過時間が最も短いプロジェクターの識別子（例えばＩＰアドレス）を一覧の先頭に表示することで、経過時間が最も短いプロジェクターを経過時間が最も長いプロジェクターよりも優先的に表示する。
【００６３】
グループ化部１３ｃは、操作部１４が表示部３に表示された一覧からプロジェクターを選択する操作をユーザーから受けた場合、その操作に応じて選択されたプロジェクターをグループ化する。
ここで、グループ化とは、例えば、制御装置１が送信する映像情報の複数の送信先を１つの送信先グループとしてまとめることを意味する。制御装置１は、送信先グループに属するプロジェクターに対してパケットを用いて映像情報を送信する。
なお、グループ化の他の例としては、例えば、制御装置１が、同一グループに含まれる複数のプロジェクターのパラメーター（カラーモード、明るさ、シャープネス、表示言語等の設定に関するパラメーターなど）を一括して変更する例も挙げられる。
【００６４】
次に、プロジェクターＰ０の構成例を説明する。
図３は、プロジェクターＰ０の構成例を示した図である。なお、プロジェクターＰ１〜Ｐ５は、プロジェクターＰ０と同一構成であるので、それらの詳細な説明を割愛する。プロジェクターＰ０は、通信部４０１と、制御部４０２と、表示部４０３と、を含んで構成される。
【００６５】
通信部４０１は、制御装置１と通信可能である。通信部４０１は、例えば、制御装置１から映像情報を受信する。また、通信部４０１は、ｐｉｎｇコマンドを受信すると、ｐｉｎｇコマンドに応じた応答をｐｉｎｇコマンドの送信元に送信する。通信部４０１は、第２通信部の一例である。
【００６６】
制御部４０２は、プロジェクターＰ０を制御する。例えば、制御部４０２は、通信部４０１が受信した映像情報に基づいて駆動信号を生成する。制御部４０２は、その駆動信号を表示部４０３に供給する。
【００６７】
表示部４０３は、制御部４０２から供給された駆動信号に応じた映像を投写面（不図示）に投射する。つまり、表示部４０３は、駆動信号に応じた映像を表示する。
【００６８】
次に、動作を説明する。
以下では、ユーザーが、会議室ＣでプロジェクターＰ３〜Ｐ５を用いて会議を行うために、会議室Ｃに制御装置１を持って来て、会議室Ｃ内で制御装置１を中継装置２Ｃに接続した場合を想定して説明を行う。なお、本実施形態の使用態様は、この想定に限るものではない。例えば、制御装置１は、予め、会議室Ｃにおいて中継装置２Ｃと接続されていてもよい。また、制御装置１は、会議室Ｃ以外の会議室において中継装置を介してネットワークＮＷに接続されていてもよい。
【００６９】
図４は、制御装置１の動作を説明するためのフローチャートである。
ユーザーは、制御装置１の操作部１４を用いて、グループ化可能なプロジェクターを検出する旨の検出操作（例えば、検出開始ボタンの押下操作）を行う。
操作部１４が検出操作を受けると（ステップＳ４０１）、計測部１３ａは、通信部１１を用いて、プロジェクターＰ０〜Ｐ５の各々へｐｉｎｇコマンドを送信し、応答を受信する通信手順を実行する。具体的には、計測部１３ａは、プロジェクターＰ０〜Ｐ５の各々に対して順番に通信部１１からｐｉｎｇコマンドを送信し、通信部１１を用いて応答を順番に受信する。
続いて、計測部１３ａは、プロジェクターＰ０〜Ｐ５の各々について、通信部１１がｐｉｎｇコマンドを送信してから通信部１１が応答を受信するまでの経過時間を計測する（ステップＳ４０２）。以下の説明では、プロジェクターＰ０〜Ｐ５のすべてから応答が返ってきたとする。
【００７０】
続いて、制御部１３ｂは、応答を返してきたプロジェクターの一覧を表示部３に表示する（ステップＳ４０３）
図５は、応答を返してきたプロジェクターの一覧３ａの一例を示した図である。図５では、応答を返してきたプロジェクター（プロジェクターＰ０〜Ｐ５）のＩＰアドレスが、ＩＰアドレスの昇順で並べられている。
【００７１】
続いて、制御部１３ｂは、計測部１３ａが計測した各経過時間に基づいて、一覧３ａにおけるプロジェクターＰ０〜Ｐ５のＩＰアドレスの表示態様を更新する（ステップＳ４０４）。
【００７２】
ここで、ステップＳ４０４について説明する。
制御装置１と同様に会議室Ｃに存在するプロジェクターＰ３〜Ｐ５は、制御装置１との間の通信経路に存在する中継装置の数が、会議室Ａに存在するプロジェクターＰ０および会議室Ｂに存在するプロジェクターＰ１〜Ｐ２よりも少ない。
【００７３】
また、本実施形態のように、各プロジェクターが同じ型（同じ型番）である場合、プロジェクターＰ０〜Ｐ５の間では、プロジェクターごとのハードウェアおよびソフトウェアの違いを無視することができ、よって、ｐｉｎｇコマンドの処理に要する時間の差を無視することができる。さらに言えば、グループ化の対象となり得るプロジェクター同士は、表示品質の均一化を図るために、同じ型（同じ型番）である可能性が高い。
【００７４】
したがって、プロジェクターＰ０〜Ｐ５の経過時間の差の主な要因は、制御装置１との間の通信経路に存在する中継装置の数の差となる。
【００７５】
このため、中継装置２Ｃに接続されているプロジェクターＰ３〜Ｐ５の経過時間は、互いに等しく、かつ、中継装置２Ｂに接続されているプロジェクターＰ１〜Ｐ２の経過時間および中継装置２Ａに接続されているプロジェクターＰ０の経過時間よりも長くなる。
また、中継装置２Ｂに接続されているプロジェクターＰ１〜Ｐ２の経過時間は、互いに等しくなる。
【００７６】
なお、プロジェクターＰ３〜Ｐ５の経過時間は、例えば、プロジェクターＰ３〜Ｐ５の間の個体差のために互いに完全に等しくならない場合が考えられる。また、プロジェクターＰ１〜Ｐ２の経過時間は、例えば、プロジェクターＰ１〜Ｐ２の間の個体差のために互いに完全に等しくならない場合が考えられる。
このため、本実施形態では、個体差等のために生じる経過時間の差を考慮して、互いの応答時間の差が予め定められた基準時間以内であるプロジェクター同士は、制御装置１との間の通信経路に存在する中継装置の数が等しいプロジェクター、つまり、同じ会議室に存在するプロジェクターとして分類される。ここで、基準時間は、所定時間の一例であり、例えば、製品出荷前に実験等によって決定されてもよいし、製品出荷前にシミュレーション計算によって決定されてもよい。
【００７７】
なお、プロジェクターＰ３〜Ｐ５とは型（型番）が異なりグループ化の対象外のプロジェクター（以下「対象外プロジェクター」と称する）が、例えば、中継装置２Ｃに接続されている場合も考えられる。
この場合、上述したように、ｐｉｎｇコマンドの処理に要する時間が、対象外プロジェクターとプロジェクターＰ３〜Ｐ５（グループ化の対象となり得るプロジェクター）との間で異なるため、対象外プロジェクターの経過時間は、プロジェクターＰ３〜Ｐ５の経過時間と異なる。よって、経過時間によって、対象外プロジェクターが、プロジェクターＰ３〜Ｐ５（グループ化の対象となり得るプロジェクター）と異なることを判断可能になる。
【００７８】
上述した経過時間の特性を考慮し、制御部１３ｂは、ステップＳ４０４において、一覧３ａにおけるプロジェクターＰ０〜Ｐ５のＩＰアドレス（識別子）を、経過時間の短い順に並べ替える。なお、経過時間が等しいプロジェクター同士については、制御部１３ｂは、それらのプロジェクターのＩＰアドレスを昇順に並べる。
【００７９】
さらに、ステップＳ４０４において、制御部１３ｂは、一覧３ａにおけるプロジェクターＰ０〜Ｐ５（プロジェクターＰ０〜Ｐ５のＩＰアドレス）を経過時間で分類する。
上述したように、制御部１３ｂは、一覧３ａにおいて、互いの応答時間の差が予め定められた基準時間以内であるプロジェクター同士を、制御装置１との間の通信経路に存在する中継装置の数が同じであるプロジェクター、つまり、同じ会議室に存在するプロジェクターとして分類する。
【００８０】
さらに、ステップＳ４０４において、制御部１３ｂは、一覧３ａにおいて、プロジェクターＰ０〜Ｐ５のＩＰアドレスを分類ごとに異なる表示態様で表示する。
例えば、制御部１３ｂは、一覧３ａにおいて、プロジェクターＰ０〜Ｐ５のＩＰアドレスを分類ごとに色分けして表示する。
【００８１】
図６は、ステップＳ４０４で表示態様が更新された後の一覧３ｂの一例を示した図である。
会議室Ｃに存在するプロジェクターＰ３〜Ｐ５のＩＰアドレス（192.168.0.103、192.168.0.104、192.168.0.105）については、互いの応答時間の差が基準値以内となるため、同じ会議室に存在するプロジェクターとして分類され、例えば赤色（図６では右肩上がりの斜線）で表示される。
会議室Ｂに存在するプロジェクターＰ１〜Ｐ２のＩＰアドレス（192.168.0.101、192.168.0.102）についても、互いの応答時間の差が基準値以内となるため、同じ会議室に存在するプロジェクターとして分類され、例えば、水色（図６では右肩下がりの斜線）で表示される。
会議室Ａに存在するプロジェクターＰ０のＩＰアドレス（192.168.0.100）については、例えば、青色で表示される。
なお、分類ごとの色分けは、上述した例（赤色、水色、青色）に限らず、適宜変更可能である。
【００８２】
図６に示したように、会議室Ｃに存在するプロジェクターＰ３〜Ｐ５のＩＰアドレス（192.168.0.103、192.168.0.104、192.168.0.105）が、一覧３ｂの先頭で色分けされている。このため、ユーザーは、会議室Ｃに存在するプロジェクターＰ３〜Ｐ５を容易に選択できる。よって、ユーザーは、表示部３に表示された一覧３ｂを見て、操作部１４を用いてプロジェクターＰ３〜Ｐ５を選択する。
【００８３】
例えば、ユーザーは、一覧３ｂにおいてプロジェクターＰ３〜Ｐ５と１対１で対応するチェックボックス３ｂ１に、操作部１４を用いてチェックを入れることによって、会議室Ｃに存在するプロジェクターＰ３〜Ｐ５を選択する。
【００８４】
操作部１４が、一覧３ｂにおいてプロジェクターＰ３〜Ｐ５のＩＰアドレスのいずれかに対応する１つのチェックボックス３ｂ１をチェックするチェック操作を受けると（ステップＳ４０５）、グループ化部１３ｃは、プロジェクターＰ３〜Ｐ５のＩＰアドレスに１対１で対応するすべてのチェックボックス３ｂ１にチェックを自動的に入れる（ステップＳ４０６）。
【００８５】
その後、ユーザーは、一覧３ｂと共に表示部３に表示されているグループ化ボタン３ｃ（図６参照）を、操作部１４を用いて操作する。
【００８６】
操作部１４がグループ化ボタン３ｃへの操作を受けると（ステップＳ４０７）、グループ化部１３ｃは、一覧３ｂにおいてチェックが入っているプロジェクター（この場合、プロジェクターＰ３〜Ｐ５）をグループ化する（ステップＳ４０８）。
【００８７】
本実施形態によれば、制御部１３ｂは、複数のプロジェクターＰ０〜Ｐ５の各々についてのｐｉｎｇコマンドの送信タイミングから応答の受信タイミングまでの経過時間に基づいて、表示部３における一覧３ｂの表示態様を制御する。
各経過時間に基づいて一覧３ｂの表示態様を制御することによって、一覧３ｂの表示態様を、制御装置１と各プロジェクターとの間の物理的な距離に応じた表示態様とすることができる。したがって、ユーザーは、一覧３ｂを見ることで、制御装置１からの物理的な距離に大差のない複数のプロジェクター（例えば、同じ会議室に存在する複数のプロジェクター）を特定しやすくなり、選択作業の煩雑さを軽減することが可能になる。
【００８８】
制御部１３ｂは、一覧３ｂにおいて、複数のプロジェクターの中で経過時間が最も短いプロジェクターを経過時間が最も長いプロジェクターよりも優先的に表示する。
このため、制御装置１が属する物理的な空間と同じ物理的な空間（例えば、制御装置１が配置されている会議室）に存在するプロジェクターを選択する場合、ユーザーは、一覧３ｂを見ることで、選択すべきプロジェクターを容易に特定できる。よって、選択作業の負担を軽減することが可能になる。
【００８９】
制御部１３ｂは、一覧３ｂにおいて複数のプロジェクターを経過時間の短い順に並べて表示する。
このため、例えば、複数のプロジェクターの中から、制御装置１との物理的な距離が近い順にプロジェクターを選択する場合、ユーザーは、一覧３ｂを見ることで、選択すべきプロジェクターを容易に特定できる。よって、選択作業の負担を軽減することが可能になる。
【００９０】
制御部１３ｂは、一覧３ｂにおいて複数のプロジェクターを経過時間に基づいて分類して表示する。
このため、複数のプロジェクターを、プロジェクターが属する物理的な空間（例えば、プロジェクターが存在する会議室）に基づいて分類して表示することが可能になる。このため、ユーザーは、一覧３ｂを見ることで、同じ空間に存在するプロジェクターを容易に選択することが可能になる。
【００９１】
制御部１３ｂは、一覧３ｂにおいて複数のプロジェクターを分類ごとに異なる表示態様で表示する。
このため、ユーザーは、一覧３ｂを見ることで、制御装置１との物理的な距離が近しいプロジェクターを容易に特定でき、これらのプロジェクターを容易に選択することが可能になる。
【００９２】
制御部１３ｂは、一覧３ｂにおいて複数のプロジェクターを分類ごとに色分けして表示する。
このため、ユーザーは、一覧３ｂにおける色の違いによって、制御装置１との物理的な距離が近しいプロジェクターを容易に特定でき、これらのプロジェクターを容易に選択することが可能になる。
【００９３】
グループ化部１３ｃは、一覧３ｂから選択されたプロジェクターをグループ化する。
このため、ユーザーは、選択すべきプロジェクターを特定しやすい一覧３ｂを見て、選択すべきプロジェクターを選択できる。このため、プロジェクターの選択が容易になる。
【００９４】
グループ化部１３ｃは、操作に応じて選択されたプロジェクターと、複数のプロジェクターのうち、操作に応じて選択されたプロジェクターとの経過時間の差が基準時間（所定時間）以内であるプロジェクターと、をグループ化する。
このため、例えば、操作に応じて選択されたプロジェクターが属する会議室のような物理的な空間と同一の空間に属している可能性の高いプロジェクターを、操作に応じて選択されたプロジェクターとともにグループ化できる。
【００９５】
グループ化部１３ｃは、一覧３ｂから選択されたプロジェクターと、複数のプロジェクターのうち、一覧３ｂから選択されたプロジェクターと同じ分類に属しているプロジェクターと、をグループ化する。
このため、例えば、一覧３ｂから選択されたプロジェクターが属する会議室のような物理的な空間と同一の空間に属している可能性の高いプロジェクターを、一覧３ｂから選択されたプロジェクターとともにグループ化できる。
【００９６】
＜第２実施形態＞
第１実施形態では、プロジェクターとは異なる制御装置１が、一覧３ｂを表示し、かつ、グループ化を行った。これに対して、第２実施形態では、制御装置１ではなく、表示装置の一例であるプロジェクターＰ９が、一覧３ｂを表示し、かつ、グループ化を行う。
【００９７】
図７は、本実施形態に係るプロジェクターＰ９を含む表示システム１０Ａの全体的な構成の一例を示した図である。システム１０Ａは、制御装置１の代わりにプロジェクターＰ９が用いられている点においてシステム１と異なる。
【００９８】
図８は、プロジェクターＰ９の構成を示した図である。図８において、図２に示した構成と同一構成のものには同一符号を付してある。
プロジェクターＰ９は、制御装置１の構成と表示部３とを含む。よって、例えば、プロジェクターＰ９は、第１実施形態において説明した制御装置１が有する一覧の表示制御機能およびグループ化機能を有する。これらの機能についての説明はすでに第１実施形態において説明したので割愛する。なお、プロジェクターＰ９での表示部３は、種々の表示を投写面に投写して表示する。
【００９９】
本実施形態によれば、プロジェクターＰ９にて一覧３ｂを表示でき、また、グループ化対象となるプロジェクターをグループ化できる。
なお、プロジェクターＰ９の制御部１３ｂは、一覧３ｂにプロジェクターＰ９のＩＰアドレスも表示してもよい。この場合、プロジェクターＰ９もグループ化されるプロジェクターとして選択可能となる。
【０１００】
＜変形例＞
本発明は、上述した実施形態に限定されるものではなく、例えば、次に述べるような各種の変形が可能である。また、次に述べる変形の態様の中から任意に選択された一または複数の変形を適宜組み合わせることもできる。
【０１０１】
＜変形例１＞
上述した各実施形態では、３台の中継装置が用いられたが、中継装置の数は３台に限らず適宜変更可能である。また、第１実施形態では６台のプロジェクターが用いられ、第２実施形態では７台のプロジェクターが用いられたが、プロジェクターの数は２台以上であればよい。
【０１０２】
＜変形例２＞
上述した各実施形態では、一覧においてプロジェクターＰ０〜Ｐ５を、経過時間の短い順に並べ、かつ、経過時間で分類した。
しかしながら、一覧においてプロジェクターＰ０〜Ｐ５を経過時間の短い順に並べた場合には、プロジェクターＰ０〜Ｐ５を経過時間で分類しなくてもよい。また、一覧においてプロジェクターＰ０〜Ｐ５を経過時間で分類した場合には、プロジェクターＰ０〜Ｐ５を経過時間の短い順に並べなくてもよい。
【０１０３】
＜変形例３＞
上述した各実施形態では、プロジェクターを選択する操作を受けると、選択されたプロジェクターと同じ分類に属しているプロジェクターも自動的に選択された。しかしながら、選択されたプロジェクターと同じ分類に属しているプロジェクターを自動的に選択しなくてもよい。
【０１０４】
＜変形例４＞
上述した各実施形態では、表示装置としてプロジェクターが用いられたが、表示装置はプロジェクターに限らず適宜変更可能である。例えば、表示装置として液晶表示装置が用いられてもよい。
【０１０５】
＜変形例５＞
上述した各実施形態では、制御部１３ｂは、図５に示したような一覧（プロジェクターのＩＰアドレスが昇順に並べられた一覧）を表示部３に表示した後に、図６に示したような一覧（各経過時間に基づいて表示態様がされた一覧）を表示部３に表示した。
しかしながら、制御部１３ｂは、図５に示したような一覧（プロジェクターのＩＰアドレスが昇順に並べられた一覧）を表示することなく、図６に示したような一覧（各経過時間に基づいて表示態様がされた一覧）を表示部３に表示してもよい。
【０１０６】
＜変形例６＞
上述した各実施形態において、グループ化部１３ｃが省略されてもよい。
【０１０７】
＜変形例７＞
上述した各実施形態において、計測部１３ａと制御部１３ｂとグループ化部１３ｃは、処理部１３が記憶部１２に記憶されているプログラム１２を実行することによって実現された。しかしながら、計測部１３ａと制御部１３ｂとグループ化部１３ｃの全部または一部は専用の電子回路によって実現されてもよい。
【符号の説明】
【０１０８】
１…制御装置、１０，１０Ａ…表示システム、１１…通信部、１２…記憶部、１２ａ…プログラム、１３…処理部、１３ａ…計測部、１３ｂ…制御部、１３ｃ…グループ化部、１４…操作部、３…表示部。
【図１】
2018028602.tif 000003
【図２】
2018028602.tif 000004
【図３】
2018028602.tif 000005
【図４】
2018028602.tif 000006
【図５】
2018028602.tif 000007
【図６】
2018028602.tif 000008
【図７】
2018028602.tif 000009
【図８】
2018028602.tif 000010